(57)【要約】【課題】一度貼り付けた粘着テープに非粘着タグがあると簡単に剥がすことができ便利であるが、常にタグ加工装置が付属していると本来のカッターとしての機能がそぐわれる。本発明は、通常の使用を重視して格納し、必要に応じてタグ加工装置を取り出す使い勝手の良い方法を提供する。【解決手段】タグが必要な時にロックを解除してタグ加工装置を取り出す。粘着テープをカッター刃と突起板にくっつけて切断し、カッター刃を摘んで突起板との間隔を狭める。カッター刃のばねをカッター部より弱くし、摘み始めはカッター刃を長円形ガイド溝に沿って傾きながら移動させ、粘着テープが突起板とカッター刃にくっついていることを活用して常に上方に湾曲させる。更にカッター刃を摘んでカッター部を最終位置まで移動し粘着テープを上方に湾曲させながら折り込んで粘着面同士を張り合わせて非粘着タグを作る構造とする。【選択図】図１
2013060296.tif 000002
【特許請求の範囲】
【請求項１】
通常は非粘着タグ加工装置を格納して普通の粘着テープカッターとして使用し、必要に応じて取り出して活用することを特徴とする方法。
【請求項２】
粘着テープロールとカッター部の間に突起板を設け、粘着テープ切る際に、カッター部と突起物双方に粘着テープがくっつくことを特徴とする方法。
【請求項３】
カッター部を移動して突起板との間隔を狭め、セロテープを湾曲させて粘着面を合わせる方法。
【請求項４】
カッター刃を長穴ガイドに沿ってひねりながら移動して突起板との間隔を狭め、粘着テープを常に上方に湾曲させる方法。
【請求項５】
カッター部が移動し終わり突起板との間隔が最小になった位置で保持させ、湾曲した粘着テープ先端を指で摘んで折り込み、粘着面同士を貼り合わせて非粘着タグを作る方法。
【請求項６】
カッター刃が移動して突起板との間隔を狭める際に空気を吐出させ、セロテープを常に上方に湾曲させる方法。
【請求項７】
片方の手の指（例えば左手指）でカッター部と突起板の間隔を狭めた位置で保持し、もう一方の手の指（例えば右手指）で粘着テープのタグを引き、粘着テープを引き出した時点で片方の手の指を離して初期位置に戻す方法。
【発明の詳細な説明】
【技術分野】
【０００１】
本発明は、一度貼り付けたセロテープを含む粘着テープ（以下粘着テープと呼ぶ）が容易に剥がされるよう、簡単かつ確実に粘着テープ先端を折り返して非粘着タグを作り、タグが不要の時は格納する方法に関する。
【背景技術】
【０００２】
事務所でも家庭でも封筒や箱またはボード等いたるところに粘着テープを貼り付ける場面が日常的に見られるが、一度貼り付けた粘着テープを指で剥がすのは容易ではない。例えば剥がすのを前提とした封筒の場合、貼り付けた粘着テープの先端に非粘着のタグがあるとそれを摘んで容易に剥がせ、受け取り手に思いやりの気持ちが伝わり喜ばれる。一方剥がす必要の無い場合は従来の粘着テープカッターと同じ操作ができると使い勝手が良い。非粘着のタグが必要な時のみ簡単な操作で取り出して確実にタグが作れる安価な装置ができれば、日常生活における便利性が増すばかりではなく、作業時間の短縮にも貢献できる。
【０００３】
粘着テープ先端に粘着面同士を貼り合わせて非粘着のタグを作る装置は既に多く考案されているが、装置が大きい、操作行程が多い、構造が複雑、確実にタグができない、等多くの解決すべき技術的課題が残されている。また、タグを必要としない使い方が殆どであるにもかかわらずタグ加工専用となっており、装置が邪魔になって粘着カッター本来の基本的性能を阻害している。
【先行技術文献】
【特許文献】
【０００４】
【特許文献１】特許第４３４５０５８号  剥離代となるテープの輪（ループ）を、テープ切断端部に高い確率で自動形成する粘着テープカッター
【発明の概要】
【発明が解決しようとする課題】
【０００５】
以上より、使い勝手を良くするためには、タグが必要なときは簡単かつ単純な操作で確実にタグを作ることができること、タグが必要でないときは従来の粘着テープカッターと同様な使い方ができることが解決すべき課題となる。
【０００６】
したがって本願発明は、使用頻度の高いタグを必要としない使用方法を重視して通常は格納し、非粘着のタグが必要な時にタグ加工装置を取り出して簡単な軽い操作でタグを作ることのできる、使い勝手の良い単純な構造の装置を提供することを目的としている。
【課題を解決するための手段】
【０００７】
本発明は、粘着テープ先端に必要に応じて非粘着のタグを作る方策によって上記の課題を解決するもので、具体的には以下の内容を含む。
【０００８】
すなわち、本発明にかかる１つの態様は、通常の使用ではタグ加工装置を小さく薄く格納し、粘着テープカッターの本来の基本性能を妨げない方法に関する。
【０００９】
本発明はさらに、タグ加工が必要なときに単純な操作でタグ加工装置を取り出せることが出来ることを特徴とする方法に関する。
【００１０】
本発明はさらに、片方の手の指（たとえば左手指）で摘んでタグ加工装置の刃を傾けながら移動することにより粘着テープを常に上方に湾曲させる方法に関する。
【００１１】
本発明はさらに、タグ加工装置全体を最終位置まで移動させ、粘着面同士を張り合わせ、もう一方の手の指（例えば右手指）で摘むことによりタグを作る構造をも包含している。
【００１２】
本発明はさらに、摘んだ片方の手の指（たとえば左手指）を離すとタグ加工装置が移動前の位置まで戻ることができる構造をも包含している。
【００１３】
本発明はさらに、粘着テープを常に上方に湾曲させる操作としてカッターが突起物まで移動する際に空気を噴出して上方に湾曲させる方法をも包含している。
【発明の効果】
【００１４】
本考案は、粘着テープを貼り付けた後に剥がす場合は粘着テープの先端に非粘着のタグがあるとそれを摘んで容易に剥がすことができるが、一方タグを必要としない頻度も高く、相反する使用方法に対しそれぞれの基本性能を損なうことなく対応できる便利性を提供するものとなる。
【図面の簡単な説明】
【００１５】
【図１】本発明の実施の形態に係る、粘着テープ先端に非粘着タグを作る構造、同方法の概要を示す説明図である。
【図２】図１に示す実施の形態に係わる非粘着タグを必要としない場合の動作原理図である。
【図３】図１に示す実施の形態に係わるカッター刃をひねって移動させることにより粘着テープを常に上方に湾曲させて非粘着タグを作る場合の動作原理図である。
【図４】図１に示す実施の形態に係わる空気を吐出して非粘着タグを作る場合の動作原理図である。
【発明を実施するための形態】
【００１６】
本発明の第１の実施の形態に係る粘着テープ先端に非粘着タグを作る方法について、図面を参照して説明する。図１はその概要を示している。
【００１７】
図2は非粘着タグを必要としない時の通常の使い方である。図２の２ａは市販の粘着テープロール１をホルダーにセットし、粘着テープロール１と突起板４の間に指８を入れて粘着テープ２を引き出す前の初期状態である。図２の２ｂは必要な長さまで粘着テープ２を繰出した切断前の状態である。図２の２ｃは粘着テープを切断している状態である。粘着テープを下方向に下げると粘着面が突起板４にくっつく。更に下げると突起板４より低い位置のカッター刃５にくっつき、粘着テープが切断される。
【００１８】
図３は非粘着タグを作るときのひとつの形態である。図２で示す通常の使い方では粘着テープ２が突起板４とカッター刃５にくっついている状態になっている。ロック機構３を解除し、粘着テープ２を上方に引っ張り切断すると図３の３aに示す初期状態になる。３aはロック機構３を解除してカッター部６とカッター刃５がばねにより初期位置に移動している状態である。３bは片方の手の指（例えば左手指）で突起板４とカッター刃５とを摘んでカッター部６が途中まで移動した状態である。カッター刃５のばねはカッター部６より弱く、摘み始めはカッター刃５が長円形をしているガイド溝７に沿って傾きながら移動する。粘着テープ２は突起板４とカッター刃５にくっついているので、上方に湾曲する。更にカッター刃５を摘んで移動させるとカッター部６が移動し始める。３cはカッター部６が突起板４まで移動し終わり接触して保持した状態である。カッター部６は突起板４より低いので粘着テープ２は傾いた状態で大きく湾曲しており摘むと非粘着タグができる。３dは粘着テープ２引き出してカッター刃５とカッター部６が初期位置に戻った状態である。もう一方の手の指（例えば右手指）で非粘着タグを摘んで引き、片方の手の指（例えば左手指）を離すとカッター刃５とカッター部６が初期位置に戻る。粘着テープ２を必要な長さだけ引き出して下に下げると切断されて３aに示す初期状態に戻る。
【００１９】
図４も非粘着タグを作るときのひとつの形態であるが吐出空気により粘着テープを常に上方に湾曲させるさらに簡素な形態である。図４の内４aは初期状態であり、片方の手の指（例えば左手指）で突起板４とカッター刃一体のカッター部６を摘んで移動させる直前の状態である。４bは片方の手の指で突起板４とカッター部６を摘んで移動させる途中の状態である。突起板４とカッター部６の間にはエアーポンプ９があり粘着テープに向かって空気が噴出して粘着テープを上方に湾曲させる。４ｃは片方の手の指で突起板４とカッター部６を摘んで終わりまで移動させて合わせた状態である。上方に湾曲しながら移動した粘着テープ２はお互いの粘着面が合わさり非粘着タグ部分ができる。片方の手の指で突起板４とカッター部６を合わせたままの状態を保持する。４dは粘着テープ２を引き出しカッター部６が初期位置に戻った状態である。もう一方の手の指（例えば右手指）で粘着テープ２の非粘着タグを摘み粘着テープ２を引き出し、片方の手の指を離すとカッター部６が初期位置に戻る。
【産業上の利用可能性】
【００２０】
粘着テープの先端に非粘着のタグを作ることにより容易に剥がすことができ、剥がす作業の軽減に加えて便利性を増すことができるが、格納式にすることにより通常の粘着テープカッターとしても使用でき、更に使い勝手及び便利性を増すことができる。
【符号の説明】
【００２１】
１．粘着テープロール、２ ．粘着テープ、３．ロック機構、４．突起板、５．カッター刃、６．カッター部、７．ガイド溝、８．手の指、９．エアーポンプ。
【図１】
2013060296.tif 000003
【図２】
2013060296.tif 000004
【図３】
2013060296.tif 000005
【図４】
2013060296.tif 000006